(57)【要約】      （修正有）【課題】健康・衛生の観点から、寝具、敷物、家具、被服のいずれかである洗濯可能な生活用品に関し、使用継続と要洗濯の判断を示唆するメッセージを作成し、送信する洗濯示唆報知装置を提供する。【解決手段】洗濯示唆報知装置１０は、寝具、敷物、家具、被服のいずれかである洗濯可能な生活用品に装着され、水分データを少なくとも含む生活用品環境データを検出する生活用品環境センサ部１００と、検出された生活用品環境データに基づき、生活用品について通常使用に好適か否かの度合いを取得する取得手段２１と、取得手段２１により得られる度合情報に基づき、生活用品に対する使用継続と要洗濯の判断を示唆するメッセージを作成し、送信するメッセージ作成送信手段２２とを具備する。【選択図】図１
2020166305.tif 000002
【特許請求の範囲】
【請求項１】
寝具、敷物、家具、被服のいずれかである洗濯可能な生活用品に装着され、水分データを少なくとも含む生活用品環境データを検出する生活用品環境センサ部と、
検出された生活用品環境データに基づき、前記生活用品について通常使用に好適か否かの度合いを取得する取得手段と、
前記取得手段により得られる度合情報に基づき、前記生活用品に対する使用継続と要洗濯の判断を示唆するメッセージを作成し、送信するメッセージ作成送信手段と
を具備することを特徴とする洗濯示唆報知装置。
【請求項２】
生活用品環境センサ部には、温度センサ、湿度センサの他、水分センサ、気圧センサ、風量センサ、においセンサ、花粉センサ、ＰＭ２．５センサ、照度センサの少なくとも１つが含まれることを特徴とする請求項１に記載の洗濯示唆報知装置。
【請求項３】
前記取得手段は、生活用品環境センサ部の検出対象毎に通常使用に好適か否かの度合いを求めることを特徴とする請求項１または２に記載の洗濯示唆報知装置。
【請求項４】
生活用品環境センサ部により得られる生活用品環境データに基づき、メンバシップ関数を作成するメンバシップ関数作成手段を備え、
前記取得手段は、生活用品環境センサ部の検出対象毎のメンバシップ関数に基づき、通常使用に好適か否かの度合いを求めることを特徴とする請求項３に記載の洗濯示唆報知装置。
【請求項５】
前記メッセージ作成送信手段は、生活用品毎に、メッセージを作成することを特徴とする請求項１乃至４のいずれか１項に記載の洗濯示唆報知装置。
【請求項６】
寝具、敷物、家具、被服のいずれかである洗濯可能な生活用品に装着され、水分データを少なくとも含む生活用品環境データを検出する生活用品環境センサ部により検出された生活用品環境データを用いて生活用品環境報知を行うコンピュータを、
前記生活用品環境センサ部により検出された生活用品環境データに基づき、前記生活用品について通常使用に好適か否かの度合いを取得する取得手段と、
前記取得手段により得られる度合情報に基づき、前記生活用品に対する使用継続と要洗濯の判断を示唆するメッセージを作成し、送信するメッセージ作成送信手段
として機能させることを特徴とする洗濯示唆報知用プログラム。
【請求項７】
生活用品環境センサ部には、温度センサ、湿度センサの他、水分センサ、気圧センサ、風量センサ、においセンサ、花粉センサ、ＰＭ２．５センサ、照度センサの少なくとも１つが含まれることを特徴とする請求項６に記載の洗濯示唆報知用プログラム。
【請求項８】
前記取得手段は、生活用品環境センサ部の検出対象毎に通常使用に好適か否かの度合いを求めることを特徴とする請求項６または７に記載の洗濯示唆報知用プログラム。
【請求項９】
前記コンピュータを、生活用品環境センサ部により得られる生活用品環境データに基づき、メンバシップ関数を作成するメンバシップ関数作成手段として機能させ、
前記コンピュータを前記取得手段として、生活用品環境センサ部の検出対象毎のメンバシップ関数に基づき、通常使用に好適か否かの度合いを求めるように機能させることを特徴とする請求項８に記載の洗濯示唆報知用プログラム。
【請求項１０】
前記コンピュータを前記取得手段として、生活用品毎に、メッセージを作成するように機能させることを特徴とする請求項６乃至９のいずれか１項に記載の洗濯示唆報知用プログラム。
【請求項１１】
請求項１乃至５のいずれか１項に記載の洗濯示唆報知装置と、
前記洗濯示唆装置から送信されたメッセージを出力する情報出力装置と
を具備することを特徴とする洗濯示唆報知システム。
【請求項１２】
情報出力装置は、メッセージを表示する表示手段と、メッセージを音声出力する音声出力手段との少なくとも一方を備えることを特徴とする請求項１１に記載の洗濯示唆報知システム。
【請求項１３】
情報出力装置が複数備えられ、複数の部屋に情報出力装置が配置されることを特徴とする請求項１１または１２に記載の洗濯示唆報知システム。
【発明の詳細な説明】
【技術分野】
【０００１】
この発明は、洗濯示唆報知装置、洗濯示唆報知用プログラム及び洗濯示唆報知システムに関するものである。
【背景技術】
【０００２】
従来、寝具、家具、被服のいずれかである洗濯可能な生活用品について洗濯を行う場合には、汚れ具合を確認して行うかまたは、汚れ具合とは関係なく、一定の期間を設定しておき洗濯を行うことが多かった。一方、上記生活用品の内、寝具、家具、敷物については、ダニなどの有害生物の発生が懸念され、有害生物による人への被害が生じる前に洗濯がなされることが多くなりつつある。日本において生息するダニの内、有害であるのはチリダニと称されるダニであるとされている。枕や布団にダニが増殖していても、チリダニは見えないため、洗濯するタイミングを的確に判断することは困難であった。また、カーテンなどの家具においては、カビが発生するまで、カビが発生しそうな状態にあることに気が付かないことが多かった。
【０００３】
上記ように肉眼では見えないダニ等を測定する方法としては、粘着テープによる採取か、吸引による採取の後、個数を顕微鏡などで計測する方法が知られているが、個数を計測し洗濯するか否かを判定するまでに、時間を要するものであった。
【０００４】
特許文献１には、衣類の洗濯時期や廃棄時期を人間の感覚によらず、客観的に決定する衣類管理システムが開示されている。このシステムは、着用時間等を演算し記録するホストサーバーと、衣類の布バーコードのＩＤ情報を読み込む第１バーコードリーダーと、それが接続され、読み込んだＩＤ情報をホストサーバーへ送信する第１端末と、衣類に装着した無線タグにＩＤ情報を含む電波信号を送信する第１アンテナと、無線タグが放射するＩＤ情報を含む電波信号を受信する第２アンテナと、洗濯要求警報信号により警報を出力する警報装置とを備えるものである。
【０００５】
また、特許文献２には、意思決定支援装置が、各種センサや利用者による入力、ネットワークから取得した情報などを介して、洗濯機の利用環境の属性や、洗濯物の質や量、洗濯を行う日時（曜日・時間）や天気（天候、気温、季節）などに関する情報を取得し、利用者が所望する洗濯の態様を意思決定支援情報として提案する洗濯機が開示されている。洗濯の態様としては、例えば、水温、水量、洗剤種別、洗剤の最適量、洗濯時間、タイミングなどが挙げられ、意思決定支援装置は、こうした洗濯の態様を利用者に提案している。利用者は、意思決定支援情報として提案された洗濯の態様をそのまま設定するか、あるいは、設定を変更し、洗濯機はその設定に従って洗濯を行う。洗濯の終了後、利用者は、その洗濯結果の満足度を所定の入力手段から入力し、意思決定支援装置は、この満足度に従って、次回、より良い意思決定支援情報が提供できるように、意思決定支援アルゴリズムの修正を行う、というものである。
【０００６】
更に、特許文献３には、機内に固定された水槽と、この水槽内で回転可能に支持され、洗濯物を収容可能で、周壁に通水および通風のための多数の通孔を有するドラムと、このドラムの内側で独立回転可能に支持され、ドラム内の洗濯物を撹拌する撹拌盤と、温風をドラム内へ導入し、上記通孔および水槽を介して循環させる温風循環手段と、この温風循環手段の経路内に配設され、その経路へ散水することにより、温風中のダニアレルゲンを捕らえて除去する散水手段とを備えるドラム式洗濯・乾燥機が開示されている。このドラム式洗濯・乾燥機は、さらに、ドラムおよび撹拌盤を回転・停止させて洗濯物に衝撃を与えるとともに温風循環手段により所定温度の温風を供給し、それによって洗濯物からダニアレルゲンを離脱させて温風中に浮遊させ、かつ散水手段により散水して上記温風中のダニアレルゲンを除去し得る制御手段を備えている。
【先行技術文献】
【特許文献】
【０００７】
【特許文献１】特開２００３−１０５６０９号公報
【特許文献２】特開２００４−１８５６１４号公報
【特許文献３】特開平０４−０３８９９３号公報
【発明の概要】
【発明が解決しようとする課題】
【０００８】
本発明は、健康・衛生の観点から、寝具、敷物、家具、被服のいずれかである洗濯可能な生活用品に関し、使用継続と要洗濯の判断を示唆するメッセージを作成し、送信する洗濯示唆報知装置を提供することを目的とする。
【課題を解決するための手段】
【０００９】
実施形態に係る洗濯示唆報知装置は、寝具、敷物、家具、被服のいずれかである洗濯可能な生活用品に装着され、水分データを少なくとも含む生活用品環境データを検出する生活用品環境センサ部と、検出された生活用品環境データに基づき、前記生活用品について通常使用に好適か否かの度合いを取得する取得手段と、前記取得手段により得られる度合情報に基づき、前記生活用品に対する使用継続と要洗濯の判断を示唆するメッセージを作成し、送信するメッセージ作成送信手段とを具備することを特徴とする。
【図面の簡単な説明】
【００１０】
【図１】本発明に係る洗濯示唆報知システムの実施形態の構成を示すブロック図。
【図２】本発明に係る洗濯示唆報知システムの実施形態の要部である生活用品環境センサ部の構成を示すブロック図。
【図３】本発明に係る洗濯示唆報知システムの実施形態の要部である装置本体部の構成を示すブロック図。
【図４】本発明に係る洗濯示唆報知システムの実施形態の要部である情報出力装置の構成を示すブロック図。
【図５】本発明に係る洗濯示唆報知システムの実施形態の要部が家において配置された状態を示す平面図。
【図６】本発明に係る洗濯示唆報知システムの第１の実施形態の要部である装置本体部の主メモリ内の構成を示すブロック図。
【図７】本発明に係る洗濯示唆報知システムの実施形態において作成される、通常使用に好適か否かの度合いに対応するメンバシップ関数の１例を示す図。
【図８】本発明に係る洗濯示唆報知システムの実施形態において作成される、通常使用に好適か否かの度合いに対応するメンバシップ関数の５例を示す図。
【図９】本発明に係る洗濯示唆報知システムの実施形態において、ダニ発生に対して洗濯示唆を行う場合の動作を示すフローチャート。
【図１０】本発明に係る洗濯示唆報知システムの実施形態において、カビ発生に対して洗濯示唆を行う場合の動作を示すフローチャート。
【発明を実施するための形態】
【００１１】
以下、本発明の実施形態に係る洗濯示唆報知装置、洗濯示唆報知用プログラム及び洗濯示唆報知システムを説明する。各図において、同一の構成要素には、同一の符号を付して重複する説明を省略する。図１には、本発明の実施形態に係る洗濯示唆報知装置及び洗濯示唆報知システムの構成図が示されている。
【００１２】
洗濯示唆報知装置１０は、生活用品環境センサ部１００と、装置本体部２００とから構成されている。生活用品環境センサ部１００は、寝具、敷物、家具、被服のいずれかである洗濯可能な生活用品に装着されるものである。寝具は、布団や枕などであり、敷物は絨毯やカーペット等であり、家具は、カーテン、座布団などであり、被服は通常の衣服でも良いが頻繁には洗濯しないジャンパーや厚手のコートなどである。この生活用品環境センサ部１００は、水分データを少なくとも含む生活用品環境データを検出するものである。
【００１３】
装置本体部２００は、サーバ等のコンピュータシステムにより構成され、検出された生活用品環境データに基づき、上記生活用品について通常使用に好適か否かの度合いを取得する取得手段２１、上記取得手段２１により得られる度合情報に基づき、上記生活用品に対する使用継続と要洗濯の判断を示唆するメッセージを作成し、送信するメッセージ作成送信手段２２を備える。
【００１４】
洗濯示唆報知システム２０は、装置本体部２００以外に、上記洗濯示唆報知装置１０の装置本体部２００から送信されたメッセージを出力する情報出力装置３００を備えるものである。情報出力装置３００は、１台であっても良いが、通常は複数台設けられる。
【００１５】
生活用品環境センサ部１００の第１の実施形態は、図２に示されるように構成される。即ち、この生活用品環境センサ部１００を統括制御するマイコン部１１０を中心として構成され、温度センサ１２１、湿度センサ１２２、水分センサ１２３、気圧センサ１２４、風量センサ１２５、においセンサ１２６、花粉センサ１２７、ＰＭ２．５センサ１２８が備えられている。ここに挙げたセンサは一例であり、これ以外に照度センサ等を備えても良い。また、少なくとも水分センサ１２３を備え、更に好ましくは温度センサ１２１、湿度センサ１２２を備え、他は適宜選択的に備えるようにしても良い。水分センサ１２３は、通常は洗濯物を挟んで２電極間のインピーダンスに基づき洗濯物の水分量を求めるために用いられる。この水分センサ１２３によって寝具やカーテンなどの家具、敷物、被服等の生活用品を挟み或いは生活用品に接触させて水分量を求める。この他に、埃検出用の埃センサや、紫外線検出用の紫外線センサなどを備えても良い。
【００１６】
上記センサには、アンプ１３０が接続され、このアンプ１３０は各センサにより取得された信号を増幅して出力する。アンプ１３０から出力された信号はＡ／Ｄ変換器１４０によりディジタル信号とされてマイコン部１１０により取り込まれて送信部１５０へ送られる。送信部１５０では信号を送信用に変換して有線または無線により送信する。
【００１７】
生活用品環境センサ部１００には、電池１６０が備えられ、この電池１６０から各部へ電力供給が行われる。生活用品環境センサ部１００は、例えば、洗濯バサミの形状を有するセンサクリップとすることができる。このセンサクリップは、異なる色のものが用意され、生活用品毎に異なる色のものを用いても良い。
【００１８】
装置本体部２００は、サーバ等のコンピュータシステムであり、例えば図３に示すように構成される。ＣＰＵ２１０が、主メモリ２２０に記憶されたプログラムやデータを用いて、既に説明した取得手段２１とメッセージ作成送信手段２２として動作するものであり、ＣＰＵ２１０から延びるバス２３０に、外部記憶コントローラ２４１、入力コントローラ２４２、表示コントローラ２４３、受信コントローラ２４４、送受信コントローラ２４５、ネットワークコントローラ２４６が接続されている。
【００１９】
外部記憶コントローラ２４１には、プログラムやデータが記憶され、また到来したデータを保存しておくための外部記憶装置２５１が接続されている。入力コントローラ２４２には、キーボードやマウス、その他、データやコマンドを入力するための入力部２５２が接続されている。表示コントローラ２４３には、ＬＥＤやＬＣＤ等により構成される情報を表示する表示部２５３が接続されている。受信コントローラ２４４には、生活用品環境センサ部１００から送信されるデータを受信するための有線または無線の受信部２５４が接続されている。
【００２０】
送受信コントローラ２４５には、情報出力装置３００との間において情報を送受信するための有線または無線の送受信部２５５が接続されている。ネットワークコントローラ２４６には、ネットワークから天気予報情報等をダウンロード等するためのネットワークインタフェース２５６が接続されている。
【００２１】
情報出力装置３００は、情報出力が可能な構成を有する端末装置として機能するものであればよく、例えば、スマートフォン、ＰＤＡ（パーソナルディジタルアシスタント）、ＡＩスピーカ、パーソナルコンピュータ等によって構成することができ、図４に示す構成を採用することができる。
【００２２】
図４に示されるように情報出力装置３００は、ＣＰＵ３１０が、主メモリ３２０に記憶されたプログラムやデータを用いて、各部を統括制御する。ＣＰＵ３１０からはバス３３０が延びており、バス３３０には、表示コントローラ３４１、スピーカコントローラ３４２、入力コントローラ３４３、音声コントローラ３４４、送受信コントローラ３４５が備えられている。
【００２３】
表示コントローラ３４１には、ＬＥＤやＬＣＤ等により構成される情報を表示する表示部３５１が接続されている。スピーカコントローラ３４２には、音声出力を行うためのスピーカ３５２が接続されている。入力コントローラ３４３には、タッチパネルやキーボードなどの入力部３５３が接続されている。音声コントローラ３４４には、音声入力を行うためのマイクロフォン３５４が接続されている。音声コントローラ３４４は、マイクロフォン３５４から入力された音声を認識して、ＣＰＵ３１０へ送る。送受信コントローラ３４５には、装置本体部２００との間で情報を送受信するための有線または無線の送受信部３５５が接続されている。この送受信部３５５によって、装置本体部２００の送受信部２５５を介して装置本体部２００とデータの送受を行うことができる。
【００２４】
以上のように構成された生活用品環境センサ部１００、装置本体部２００、情報出力装置３００は、例えば図５に示されるように家の各住エリアに配置することができる。この家には、リビング、部屋Ａ、部屋Ｂ、脱衣所、浴室、家に付随した屋外施設としてのベランダが設けられているとする。本実施形態は、生活用品環境センサ部１００をリビング、部屋Ａ、部屋Ｂ、脱衣所に配置した例である。リビングではカーテンや絨毯などに生活用品環境センサ部１００を設けることができる。部屋Ａ、部屋Ｂでは、布団や枕などの寝具に生活用品環境センサ部１００を設けることができる。脱衣所では、足拭き用のマットに生活用品環境センサ部１００を設けることができる。装置本体部２００、情報出力装置３００をリビングに配置しているが、他の場所であっても良い。更に、家に付随した屋外施設として、バルコニーや洗濯干し家屋などがある場合には、それらの場所にも必要に応じて生活用品環境センサ部１００や情報出力装置３００が設けられても良い。
【００２５】
本実施形態では、取得手段２１が各生活用品について通常使用に好適か否かの度合いを取得するものである。取得手段２１は、生活用品環境センサ部１００の検出対象毎に通常使用に好適か否かの度合いを求める。
【００２６】
本実施形態では、図６に示すように、主メモリ２２０に、生活用品環境センサ部１００により得られる生活用品環境データに基づき、メンバシップ関数を作成するメンバシップ関数作成手段４３を備えている。前述の取得手段２１とメッセージ作成送信手段２２も、主メモリ２２０のプログラムを実行することにより実現される。メンバシップ関数は、生活用品環境センサ部１００の各センサにより得られるデータの値を引数として、この引数のときに通常使用して好適から不適の間（１と０との間）のどのグレードに属するかを決定する関数であり、温度、湿度、水分、気圧、風量、におい、花粉、ＰＭ２．５のそれぞれについて作成することができる。
【００２７】
水分に対するダニ発生数または所定広さにおけるカビ発生面積のグレードのメンバシップ関数の例を図７に示す。また、メンバシップ関数の作成は、実際の生活用品の水分を水分センサ１２３で測定してインピーダンスが所定値（ここでは、１０００）以下となったときのメンバシップ関数の対象のセンサの値を収集して、このセンサの値と予め外部記憶装置２５１に記憶されているダニの発生数やカビの発生面積のデータと対応付ける（センサの値との対応付けを、例えば、ディープラーニングなどの機械学習を用いて行い、メンバシップ関数を作成するようにしても良い）。また、システムの運用当初においては、上記のように実際に測定して得られたデフォルトのメンバシップ関数を外部記憶装置２５１へ記憶しておき、これを用いるようにしても良い。
【００２８】
また、湿度のメンバシップ関数は、相対湿度０％を１とし、相対湿度１００％を０とする相対湿度のメンバシップ関数である。相対湿度の定義は、気象庁の「湿度」説明によれば「普通は相対湿度で、相対湿度は水蒸気量とそのときの気温における飽和水蒸気量との比を百分率で表したもの」とされる。メンバシップ関数の対象の湿度センサの値を収集して、このセンサの値と予め外部記憶装置２５１に記憶されているダニの発生数やカビの発生面積のデータと対応付ける（センサの値との対応付けを、例えば、ディープラーニングなどの機械学習を用いて行い、メンバシップ関数を作成するようにしても良い）。また、システムの運用当初においては、上記のように実際に測定して得られたデフォルトのメンバシップ関数を外部記憶装置２５１へ記憶しておき、これを用いるようにしても良い。このようにして作成されたメンバシップ関数を図８（Ａ）と図８（Ｂ）に示す。
【００２９】
温度については、ダニ発生において、例えば摂氏２０度以上３０度以下では多大に発生が見られ、摂氏２０度未満や摂氏３０より高温の領域では微小に発生することを示す図８（Ｃ）の関数が作成される。メンバシップ関数の対象の温度センサの値を収集して、このセンサの値と予め外部記憶装置２５１に記憶されているダニの発生数やカビの発生面積のデータと対応付ける（センサの値との対応付けを、例えば、ディープラーニングなどの機械学習を用いて行い、メンバシップ関数を作成するようにしても良い）。また、システムの運用当初においては、上記のように実際に測定して得られたデフォルトのメンバシップ関数を外部記憶装置２５１へ記憶しておき、これを用いるようにしても良い。また、カビ発生に関する温度のメンバシップ関数は図８（Ｄ）に示すようである。この場合には、メンバシップ関数が台形状となる。
【００３０】
ここで、「におい」については、カビのにおいなどの悪臭を「におい」とし、検知対象のにおいに応じて、複数種類のにおいセンサを用いてそれぞれのメンバシップ関数を作成しても良い。なお本実施形態では、図８（Ｅ）に示すように、「におい」に関するメンバシップ関数の単位をppmとした。これは、「におい」には世界共通の単位はなく、「におい」の種類によっても様々な単位が用いられ、明確な単位がないので、主に化学物質の「におい」に用いられるppmを例示したものである。
【００３１】
また、上記以外のセンサによるメンバシップ関数は、本実施形態では用いないために省略するが、必要に応じて求めるようにしても良い。
【００３２】
上記のようなメンバシップ関数を用いる場合には、上記取得手段２１は生活用品環境センサ部の検出対象毎のメンバシップ関数に基づき、通常使用に好適か否かの度合いを１〜０の範囲で求め、この度合いに対し演算処理を行ってメッセージ作成の元データとなる通常使用に好適か否かの度合いを取得する。この通常使用に好適か否かの度合いは、ダニ発生数または所定広さにおけるカビ発生面積に該当する。
【００３３】
ここで、演算処理は、最も簡単であるのは、各センサにより得られた生活用品環境データに対するメンバシップ関数や特徴関数のグレード値を加算し、予め設定されている閾値よりも大きい値か閾値以下であるかに基づき通常使用に好適か否かの度合いを決定するものを採用することができる。また、各センサにより得られた生活用品環境データに対するメンバシップ関数や特徴関数のグレード値の平均値を求め、閾値と比較する演算を用いても良い。この場合には、閾値は１／２を採用することができる。なお、特徴関数は、閾値を境にしてグレードが０と１に明確に区分される関数である。
【００３４】
上記の閾値を用いずに、上記加算値や平均値を演算結果として、メッセージ作成送信手段２２が上記値に対応付けられたメッセージを作成するように構成することもできる。また、典型的な生活用品（例えば、平均的な厚みと大きさの寝具等）において通常以下、通常、やや異常、異常などのランクとすべきダニ発生数値やカビ発生数値と、上記メンバシップ関数により得た値の加算値や平均値を対応付けて記憶しておき、これをメッセージ作成に用いても良い。
【００３５】
上記取得手段２１の処理を受けてメッセージ作成送信手段２２は、上記取得手段２１により得られる度合情報に基づき、各住エリアの生活用品に対する使用継続と要洗濯の判断を示唆するメッセージを作成する。本実施形態では、使用継続と要洗濯のいずれかを示唆する程度をメッセージとすることができる。また、各住エリアに順位を付けて、メッセージを作成するようにしても良い。
【００３６】
以上の通りに構成された生活用品環境報知システムにおいては、ダニ発生に対して、装置本体部２００のＣＰＵ２１０が主メモリ２２０に呼び出された図９のフローチャートに対応するプログラムを実行することにより洗濯示唆が行われるので、このフローチャートに基づき動作説明を行う。
【００３７】
スタートとなり、生活用品環境センサ部１００の各センサから生活用品環境データを取り込む（Ｓ１１）。取り込んだ生活用品環境データが、生活用品環境センサ部１００を生活用品から取り外した値であるか否かを検出する（Ｓ１２）。つまり、洗濯示唆を受けない待機状態であるか否かを検出している。このステップＳ１２においてＹＥＳへ分岐すると、待機時間タイマをスタートさせ（Ｓ１３）、待機時間が所定時間（本実施形態では、３時間）以上となったか否かを検出する（Ｓ１４）。このステップＳ１４において、ＹＥＳへ分岐すると累積ダニ数カウンタを０とする（Ｓ１５）。
【００３８】
上記ステップＳ１５の終了の後に、またはステップＳ１２においてＮＯへ分岐した場合には、ステップＳ１６へ進み、取り込んだ生活用品環境データに基づき、ダニ数を算出し、このダニ数を累積ダニ数カウンタに反映させる（Ｓ１６）。具体的は、取り込んだ生活用品環境データに対応するメンバシップ関数や特徴関数を用いて、取り込んだ生活用品環境データに対応するダニ数を取得する。図７に示した水分にダニ数が対応付けられているメンバシップ関数におけるダニ数の値（１〜０）を、水分センサにより得られた値のディジタル値（１００〜１０００）から求め、累積ダニ数カウンタの値に加える。また、湿度の場合には、湿度にダニ数が対応付けられている図８（Ａ）に示したメンバシップ関数におけるダニ数の値（１〜０）を、湿度センサにより得られた値のディジタル値（３６％〜１００％）から求め、累積ダニ数カウンタの値に加える。また、温度の場合には、温度にダニ数が対応付けられている図８（Ｃ）に示したメンバシップ関数におけるダニ数の値（１〜０）を、温度センサにより得られた値のディジタル値（０℃〜４０℃）から求め、累積ダニ数カウンタの値に加える。温度の場合において、「大」の三角形領域では、ダニ数は０〜１の値とするが、「小」の三角形領域では、ダニ数は上記０〜１の値の半分の０〜０．５とすることができる。このようにして得られるダニ数が、「生活用品について通常使用に好適か否かの度合い」である。
【００３９】
ステップ１６の次には、「生活用品について通常使用に好適か否かの度合い」としてのダニ数に基づき、「生活用品に対する使用継続」と「要洗濯の判断を示唆する」とのいずれにすべきかを、累積ダニ数と閾値の比較により実施する（Ｓ１７）。このステップＳ１７においてＹＥＳへ分岐した場合には、要洗濯の判断により、洗濯を行った方が良いとの洗濯を示唆するメッセージを作成し、このメッセージを情報出力装置３００へ送信して（Ｓ１８）、ステップＳ１１へ戻って処理を続ける。
【００４０】
また上記の生活用品環境報知システムにおいては、カビ発生に対して、装置本体部２００のＣＰＵ２１０が主メモリ２２０に呼び出された図１０のフローチャートに対応するプログラムを実行することにより洗濯示唆報知が行われるので、このフローチャートに基づき動作説明を行う。
【００４１】
スタートとなり、生活用品環境センサ部１００の各センサから生活用品環境データを取り込む（Ｓ２１）。取り込んだ生活用品環境データが、洗濯示唆報知装置１０を生活用品から取り外された値であるか否かを検出する（Ｓ２２）。つまり、洗濯示唆を受けない待機状態であるか否かを検出している。このステップＳ２２においてＹＥＳへ分岐すると、待機時間タイマをスタートさせ（Ｓ２３）、待機時間が所定時間（本実施形態では、３時間）以上となったか否かを検出する（Ｓ２４）。このステップＳ２４において、ＹＥＳへ分岐すると累積カビ数カウンタを０とする（Ｓ２５）。
【００４２】
上記ステップＳ２５の終了の後に、またはステップＳ２２においてＮＯへ分岐した場合には、ステップＳ２６へ進み、取り込んだ生活用品環境データに基づき、カビ数を算出し、このカビ数を累積カビ数カウンタに反映させる（Ｓ２６）。具体的は、取り込んだ生活用品環境データに対応するメンバシップ関数や特徴関数を用いて、取り込んだ生活用品環境データに対応するカビ数を取得する。図７に示した水分にカビ数が対応付けられているメンバシップ関数におけるカビ数の値（１〜０）を、水分センサにより得られた値のディジタル値（１００〜１０００）から求め、累積カビ数カウンタの値に加える。また、湿度の場合には、湿度にカビ数が対応付けられている図８（Ｂ）に示したメンバシップ関数におけるカビ数の値（１〜０）を、湿度センサにより得られた値のディジタル値（７５％〜１００％）から求め、累積カビ数カウンタの値に加える。また、温度の場合には、温度にカビ数が対応付けられている図８（Ｄ）に示したメンバシップ関数におけるカビ数の値（１〜０）を、温度センサにより得られた値のディジタル値（０℃〜４０℃）から求め、累積カビ数カウンタの値に加える。温度の場合において、２０℃〜３０℃の領域では、カビ数は０〜１の値として得られることになる。このようにして得られるカビ数が、「生活用品について通常使用に好適か否かの度合い」である。
【００４３】
ステップ２６の次には、「生活用品について通常使用に好適か否かの度合い」としてのカビ数に基づき、「生活用品に対する使用継続」と「要洗濯の判断を示唆する」とのいずれにすべきかを、累積カビ数と閾値の比較により実施する（Ｓ２７）。このステップＳ２７においてＹＥＳへ分岐した場合には、要洗濯の判断により、洗濯を行った方が良いとの洗濯を示唆するメッセージを作成し、このメッセージを情報出力装置３００へ送信して（Ｓ２８）、ステップＳ２１へ戻って処理を続ける。
【００４４】
以上のように本実施形態によれば、健康・衛生の観点から、寝具、敷物、家具、被服のいずれかである洗濯可能な生活用品に関し、使用継続と要洗濯の判断を示唆するメッセージを作成し、送信するので、汚れとは必ずしも一致しないダニやカビなどの付着した生活用品について健康・衛生の観点から洗濯示唆報知することができ、ユーザに衛生的で健康的な生活を送ってもらうようにすることが可能である。
【００４５】
なお、上記の実施形態では、ダニとカビについて幾つかのセンサを用いて検出を行うようにしたが、これ以外に臭いについて幾つかのセンサを用いて検出し、使用継続と要洗濯の判断を示唆するメッセージを作成し、送信するようにしても良い。また生活用品環境センサ部に、ダニやカビを撮像により捕え得る高性能カメラと画像認識装置を備えさせ、所要の広さに居る或いは発生したダニの数やカビの大きさ（広さ）を検出して上記生活用品について通常使用に好適か否かの度合いを取得し、取得した度合情報に基づき、上記生活用品に対する使用継続と要洗濯の判断を示唆するメッセージを作成するようにしても良い。この構成によっても上記実施形態と同様の効果を得ることができる。
【００４６】
なお、上記ダニ数の値または上記カビ数の値を、（水分センサに対応するメンバシップ関数の値）×｛（温度センサに対応するメンバシップ関数の値）＋（相対湿度センサに対応するメンバシップ関数の値）｝から求め、時間経過と共に累積してゆくようにしても良い。
【符号の説明】
【００４７】
１０  洗濯示唆報知装置                    ２０  洗濯示唆報知システム
２１  取得手段                            ２２  メッセージ作成送信手段
４３  メンバシップ関数作成手段            １００  生活用品環境センサ部          １１０  マイコン部                        １２１  温度センサ                    １２２  湿度センサ                        １２３  水分センサ                    １２４  気圧センサ                        １２５  風量センサ                    １２６  においセンサ                      １２７  花粉センサ                    １３０  アンプ                            １４０  Ａ／Ｄ変換器
１５０  送信部                            １６０  電池
２００  装置本体部                        ２１０  ＣＰＵ
２２０  主メモリ                          ２３０  バス
２４１  外部記憶コントローラ              ２４２  入力コントローラ
２４３  表示コントローラ                  ２４４  受信コントローラ
２４５  送受信コントローラ                ２４６  ネットワークコントローラ
２５１  外部記憶装置                      ２５２  入力部
２５３  表示部                            ２５４  受信部
２５５  送受信部                          ２５６  ネットワークインタフェース
３００  情報出力装置                      ３２０  主メモリ
３３０  バス                              ３４１  表示コントローラ
３４２  スピーカコントローラ              ３４３  入力コントローラ
３４４  音声コントローラ                  ３４５  送受信コントローラ
３５１  表示部                            ３５２  スピーカ
３５３  入力部                            ３５４  マイクロフォン
３５５  送受信部
【図１】
2020166305.tif 000003
【図２】
2020166305.tif 000004
【図３】
2020166305.tif 000005
【図４】
2020166305.tif 000006
【図５】
2020166305.tif 000007
【図６】
2020166305.tif 000008
【図７】
2020166305.tif 000009
【図８】
2020166305.tif 000010
【図９】
2020166305.tif 000011
【図１０】
2020166305.tif 000012